(57)【要約】【課題】  ＰＬＰ（Ｐｅｒｃｅｐｔｕａｌ  Ｌｉｎｅａｒ  Ｐｒｅｄｉｃｔｉｏｎ）係数を利用してＬＰＣ（Ｌｉｎｅａｒ  Ｐｒｅｄｉｃｔｉｖｅ  Ｃｏｄｉｎｇ）コーディングを行うことにより、既存のＬＰ係数を使用する場合より高圧縮率を実現でき、高い音質を保障できる移動通信端末機の音声コーディング方法を提供する。  【解決手段】  移動通信端末機の音声コーディング装置は、入力信号を処理してＰＬＰ係数とゲインを計算するＰＬＰ係数計算部２０と、入力信号が音声（Ｖｏｉｃｅｄ）信号であるか、非音声（Ｕｎｖｏｉｃｅｄ）信号であるかを決定し、入力信号が音声信号であると、決定信号と当音声信号を出力するＶ／ＵＶ決定部２１と、Ｖ／ＵＶ決定部２１から出力された入力信号のピッチを計算するピッチ計算部２２と、決定信号に基づいて、ＰＬＰ係数、ゲイン、及びピッチを利用して低ビットレートコーディングを行うパラメータコーディング部２３とを含む。【選択図】  図１
2006039559.tif 000002
【特許請求の範囲】
【請求項１】
移動通信端末機において、
入力信号を処理してＰＬＰ（Ｐｅｒｃｅｐｔｕａｌ  Ｌｉｎｅａｒ  Ｐｒｅｄｉｃｔｉｏｎ）係数とゲインを計算するＰＬＰ係数計算部と、
前記入力信号が音声（Ｖｏｉｃｅｄ）信号であるか、非音声（Ｕｎｖｏｉｃｅｄ）信号であるかを決定し、前記入力信号が音声信号であると、決定信号と該当音声信号を出力するＶ／ＵＶ決定部と、
前記Ｖ／ＵＶ決定部から出力された入力信号のピッチを計算するピッチ計算部と、
前記決定信号に基づいて、前記ＰＬＰ係数、ゲイン、及びピッチを利用して低ビットレートコーディングを行うパラメータコーディング部と
を含むことを特徴とする音声コーディング装置。
【請求項２】
前記音声信号は、スピーチ（ｓｐｅｅｃｈ）信号であることを特徴とする請求項１に記載の音声コーディング装置。
【請求項３】
前記決定信号は、前記入力信号が音声信号であるか又は非音声信号であるかを示すビット値であることを特徴とする請求項１に記載の音声コーディング装置。  
【請求項４】
前記ＰＬＰ係数の次数は、８ｋＨｚサンプリングレート（ｓａｍｐｌｉｎｇ  ｒａｔｅ）の場合、７次程度であることを特徴とする請求項１に記載の音声コーディング装置。  
【請求項５】
入力信号を処理してＰＬＰ係数とゲインを計算する段階と、
前記入力信号が音声信号であるか、非音声信号であるかを決定し、前記入力信号が音声信号であると、決定信号と音声信号を出力する段階と、
前記Ｖ／ＵＶ決定部から出力された入力信号のピッチを計算する段階と、
前記決定信号に基づいて、前記ＰＬＰ係数、ゲイン、及びピッチを利用して低ビットレートコーディングを行う段階と
を含むことを特徴とする移動通信端末機の音声コーディング方法。
【請求項６】
前記音声信号は、スピーチ信号であることを特徴とする請求項５に記載の移動通信端末機の音声コーディング方法。
【請求項７】
前記ＰＬＰ係数とゲインを計算する段階は、
前記入力信号を高速フーリエ変換する段階と、
前記高速フーリエ変換されたスピーチ信号に対して積分（ｉｎｔｅｇｒａｔｉｏｎ）及びリサンプリング（ｒｅｓａｍｐｌｉｎｇ）を行うことにより、周波数単位で雑音成分を除去する段階と、
前記雑音成分が除去されたスピーチ信号を人間の聴覚に適した大きさの音成分にイコライジング（ｅｑｕａｌｉｚｉｎｇ）処理及びラウドネス（ｌｏｕｄｎｅｓｓ）補正した後、適正電力にマッチングさせる段階と、
前記電力マッチングされたスピーチ信号を逆離散フーリエ変換して線形方程式系を求める段階と、
前記線形方程式セットに対してケプストラル循環（Ｃｅｐｓｔｒａｌ  Ｒｅｃｕｒｓｉｏｎ）処理を行うことにより、ＰＬＰ係数とゲインを求める段階とから構成されることを特徴とする請求項５に記載の移動通信端末機の音声コーディング方法。
【請求項８】
前記ＰＬＰ係数の次数は、８ｋＨｚサンプリングレートの場合、７次程度であることを特徴とする請求項５に記載の移動通信端末機の音声コーディング方法。
【発明の詳細な説明】
【背景技術】
【０００１】
本発明は、移動通信端末機のコーディングに関し、特に、ＰＬＰ（Ｐｅｒｃｅｐｔｕａｌ  Ｌｉｎｅａｒ  Ｐｒｅｄｉｃｔｉｏｎ）を利用した音声コーディング装置及び方法に関する。
【技術分野】
【０００２】
移動通信技術の発展により、現在の移動通信端末機は、音声通信だけでなく、数字、文字及び記号などを利用したデータ通信と、多様な映像信号を含むマルチメディア通信を提供している。多数の端末機使用者は、システムから無線チャンネルが割り当てられた後、無線資源を利用して必要なデータを送受信する。しかしながら、前記無線チャンネルは、多数の使用者が同時に使用可能にするために帯域幅を制限しているため、各使用者のビットレートが制限される。
【０００３】
従って、前記制限されたビットレートでより多くのデータを伝送するための技術としてコーディング技術が提案された。従来の音声コーディング技術には、非常に多様な方法が存在するが、各音声コーディング方法は、所定のビットレートで所定の長所を有する。
【０００４】
例えば、基準音声コーディング（Ｇｅｎｅｒｉｃ  Ａｕｄｉｏ  Ｃｏｄｉｎｇ）を利用したスピーチコーディング（ｓｐｅｅｃｈ  ｃｏｄｉｎｇ）、ＰＣＭ  （Ｐｕｌｓｅ  Ｃｏｄｅ  Ｍｏｄｕｌａｔｉｏｎ）及びＡＤＰＣＭ（Ａｄａｐｔｉｖｅ  Ｄｅｌｔａ  Ｐｕｌｓｅ  Ｃｏｄｅ  Ｍｏｄｕｌａｔｉｏｎ）は、１６Ｋｂｐｓ以上の高ビットレートにおいて効果的であり、ＣＥＬＰ（Ｃｏｄｅ  Ｅｘｃｉｔｅｄ  Ｌｉｎｅａｒ  Ｐｒｅｄｉｃｔｉｏｎ）とその各種変形は、２．４Ｋｂｐｓ〜１６Ｋｂｐｓ範囲の中ビットレートにおいて効果的である。特に、前記中ビットレートでは、ＬＤ−ＣＥＬＰ（Ｌｏｗ  Ｄｅｌａｙ  Ｃｏｄｅ  Ｅｘｃｉｔｅｄ  Ｌｉｎｅａｒ  Ｐｒｅｄｉｃｔｉｏｎ）、ＣＳ−ＡＣＥＬＰ（Ｃｏｎｊｕｇａｔｅ  Ｓｔｒｕｃｔｕｒｅ  Ａｌｇｅｂｒａｉｃ  Ｃｏｄｅ  Ｅｘｃｉｔｅｄ  Ｌｉｎｅａｒ  Ｐｒｅｄｉｃｔｉｏｎ）、ＶＳＥＬＰ（Ｖｅｃｔｏｒ  Ｓｕｍ  Ｅｘｃｉｔｅｄ  Ｌｉｎｅａｒ  Ｐｒｅｄｉｃｔｉｏｎ）及びＭＥＬＰ（Ｍｉｘｅｄ  Ｅｘｃｉｔａｔｉｏｎ  Ｌｉｎｅａｒ  Ｐｒｅｄｉｃｔｉｏｎ）を利用したコーディング方法と広帯域スピーチコーディング（ｗｉｄｅｂａｎｄ  ｓｐｅｅｃｈ  ｃｏｄｉｎｇ）  などが使用される。また、ＬＰＣ（Ｌｉｎｅａｒ  Ｐｒｅｄｉｃｔｉｖｅ  Ｃｏｄｉｎｇ）、ＲＥＬＰ（Ｒｅｓｉｄｕａｌ  Ｅｘｃｉｔｅｄ  Ｌｉｎｅａｒ  Ｐｒｅｄｉｃｔｉｏｎ）、フォルマントボコーダ（ｆｏｒｍａｎｔｓ  ｖｏｃｏｄｅｒ）及びケプストラルボコーダ（Ｃｅｐｓｔｒａｌ  Ｖｏｃｏｄｅｒ）などは、７５ｂｐｓ〜２．４Ｋｂｐｓの低ビットレートにおいてより多くの長所を有する。  
【０００５】
ここで、本発明は、低ビットレートで使用されるコーディングのうち線形予測コーディング（Ｌｉｎｅａｒ  Ｐｒｅｄｉｃｔｉｖｅ  Ｃｏｄｉｎｇ：  以下、ＬＰＣと称する）の改善方法を提案している。
【０００６】
図３は、従来のＬＰＣエンコーダの構成図である。  
【０００７】
図３に示すように、従来のＬＰＣエンコーダは、入力信号ｘ［ｎ］の自己相関（ａｕｔｏｃｏｒｒｅｌａｔｉｏｎ）値ｒｘ［ｎ］を計算する相関器１０と、前記自己相関値ｒｘ［ｎ］を処理して線形予測係数（Ｌｉｎｅａｒ  Ｐｒｅｄｉｃｔｉｏｎ  Ｃｏｅｆｆｉｃｉｅｎｔ：  以下、ＬＰ係数という）ａＬとゲインＧを計算するＬＰ係数計算部１１と、入力信号ｘ［ｎ］が音声（Ｖｏｉｃｅｄ：Ｖ）信号であるか、非音声（Ｕｎｖｏｉｃｅｄ：  ＵＶ）信号であるかを決定するＶ／ＵＶ決定部１２と、前記入力信号ｘ［ｎ］が音声（Ｖ）信号である場合、該当信号のピッチＰを計算するピッチ計算部１３と、Ｖ／ＵＶ決定部１２から出力されたＶ／ＵＶ指示ビット（Ｉｎｄｉｃａｔｉｏｎ  ｂｉｔ）によりＬＰ係数計算部１１とピッチ計算部１３から受信したＬＰ係数ａｎ、ゲインＧ及びピッチＰをコーディングしてビットストリームを出力するパラメータコーディング部１４とから構成される。  
【０００８】
以下、このように構成された従来のＬＰＣエンコーダの動作を説明する。
【０００９】
まず、相関器１０は、入力信号ｘ［ｎ］を自己相関し、ＬＰ係数計算部１１は、相関器１０により計算された自己相関値ｒｘ［ｎ］を処理してＬＰ係数ａｎとゲインＧを計算する。ここで、Ｖ／ＵＶ決定部１２は、入力信号ｘ［ｎ］が音声（Ｖ）信号であるか、非音声（ＵＶ）信号であるかを決定してＶ／ＵＶ指示ビットと音声（Ｖ）信号を出力し、ピッチ計算部１３は、Ｖ／ＵＶ決定部１２から出力された音声（Ｖ）信号のピッチＰを計算する。
【００１０】
従って、パラメータコーディング部１４は、Ｖ／ＵＶ指示ビットが音声（Ｖ）信号を示す場合、ＬＰ係数計算部１１とピッチ計算部１３から受信したＬＰ係数ａｎ、ゲインＧ及びピッチＰをパラメータコーディング（低ビットレートでエンコーディング）してビットストリームを出力する。その後、制御部（図示せず）は、ビットストリームを処理して無線部（図示せず）に出力し、前記無線部は、前記制御部から出力された信号を無線信号に変換して伝送する。
【００１１】
このように、移動通信端末機において音声信号を低ビットレートで伝送するために、従来技術では、ＬＰＣコーディングを行う。しかしながら、従来のＬＰＣコーディングは、通常ＬＰ係数を利用するため、人間の聴覚特性が考慮されない。従って、低ビットレートで動作する従来のＬＰＣコーディングの場合は、圧縮効率が低く（１２００ｋｂｐｓ〜２４００ｋｂｐｓ）、音質が悪いという短所があった。
【発明の開示】
【発明が解決しようとする課題】
【００１２】
本発明の目的は、ＰＬＰ係数を利用してＬＰＣコーディングを行うことにより、圧縮効率及び音質を向上させる移動通信端末機の音声コーディング装置及び方法を提供することにある。
【課題を解決するための手段】
【００１３】
このような目的を達成するために、本発明に係る移動通信端末機のＬＰＣエンコーダは、入力信号を処理してＰＬＰ係数とゲインを計算するＰＬＰ係数計算部と、前記入力信号が音声信号であるか、非音声信号であるかを決定し、前記入力信号が音声信号であると、前記決定信号と該当音声信号を出力するＶ／ＵＶ決定部と、前記Ｖ／ＵＶ決定部から出力された入力信号のピッチを計算するピッチ計算部と、前記決定信号に基づいて、前記ＰＬＰ係数、ゲイン及びピッチを利用して低ビットレートコーディングを行うパラメータコーディング部とを含むことを特徴とする。  
【００１４】
このような目的を達成するために、本発明に係る移動通信端末機の低ビットレート音声コーディング方法は、入力信号を処理してＰＬＰ係数とゲインを計算する段階と、前記入力信号が音声信号であるか、非音声信号であるかを決定し、前記入力信号が音声信号であると、前記決定信号と音声信号を出力する段階と、前記Ｖ／ＵＶ決定部から出力された入力信号のピッチを計算する段階と、前記決定信号に基づいて、前記ＰＬＰ係数、ゲイン及びピッチを利用して低ビットレートコーディングを行う段階とを含むことを特徴とする。
【００１５】
好ましくは、前記音声信号はスピーチ信号である。
【００１６】
好ましくは、前記ＰＬＰ係数の次数は、８ｋＨｚサンプリングレート（ｓａｍｐｌｉｎｇ  ｒａｔｅ）の場合、７次程度である。
【００１７】
上記目的を達成するために、本発明は、例えば、以下の手段を提供する。
（項目１）
移動通信端末機において、
入力信号を処理してＰＬＰ（Ｐｅｒｃｅｐｔｕａｌ  Ｌｉｎｅａｒ  Ｐｒｅｄｉｃｔｉｏｎ）係数とゲインを計算するＰＬＰ係数計算部と、
前記入力信号が音声（Ｖｏｉｃｅｄ）信号であるか、非音声（Ｕｎｖｏｉｃｅｄ）信号であるかを決定し、前記入力信号が音声信号であると、決定信号と該当音声信号を出力するＶ／ＵＶ決定部と、
前記Ｖ／ＵＶ決定部から出力された入力信号のピッチを計算するピッチ計算部と、
前記決定信号に基づいて、前記ＰＬＰ係数、ゲイン、及びピッチを利用して低ビットレートコーディングを行うパラメータコーディング部と
を含むことを特徴とする音声コーディング装置。
（項目２）
前記音声信号は、スピーチ（ｓｐｅｅｃｈ）信号であることを特徴とする項目１に記載の音声コーディング装置。
（項目３）
前記決定信号は、前記入力信号が音声信号であるか又は非音声信号であるかを示すビット値であることを特徴とする項目１に記載の音声コーディング装置。  
（項目４）
前記ＰＬＰ係数の次数は、８ｋＨｚサンプリングレート（ｓａｍｐｌｉｎｇ  ｒａｔｅ）の場合、７次程度であることを特徴とする項目１に記載の音声コーディング装置。  
（項目５）
入力信号を処理してＰＬＰ係数とゲインを計算する段階と、
前記入力信号が音声信号であるか、非音声信号であるかを決定し、前記入力信号が音声信号であると、決定信号と音声信号を出力する段階と、
前記Ｖ／ＵＶ決定部から出力された入力信号のピッチを計算する段階と、
前記決定信号に基づいて、前記ＰＬＰ係数、ゲイン、及びピッチを利用して低ビットレートコーディングを行う段階と
を含むことを特徴とする移動通信端末機の音声コーディング方法。
（項目６）
前記音声信号は、スピーチ信号であることを特徴とする項目５に記載の移動通信端末機の音声コーディング方法。
（項目７）
前記ＰＬＰ係数とゲインを計算する段階は、
前記入力信号を高速フーリエ変換する段階と、
前記高速フーリエ変換されたスピーチ信号に対して積分（ｉｎｔｅｇｒａｔｉｏｎ）及びリサンプリング（ｒｅｓａｍｐｌｉｎｇ）を行うことにより、周波数単位で雑音成分を除去する段階と、
前記雑音成分が除去されたスピーチ信号を人間の聴覚に適した大きさの音成分にイコライジング（ｅｑｕａｌｉｚｉｎｇ）処理及びラウドネス（ｌｏｕｄｎｅｓｓ）補正した後、適正電力にマッチングさせる段階と、
前記電力マッチングされたスピーチ信号を逆離散フーリエ変換して線形方程式系を求める段階と、
前記線形方程式セットに対してケプストラル循環（Ｃｅｐｓｔｒａｌ  Ｒｅｃｕｒｓｉｏｎ）処理を行うことにより、ＰＬＰ係数とゲインを求める段階とから構成されることを特徴とする項目５に記載の移動通信端末機の音声コーディング方法。
（項目８）
前記ＰＬＰ係数の次数は、８ｋＨｚサンプリングレートの場合、７次程度であることを特徴とする項目５に記載の移動通信端末機の音声コーディング方法。
【発明の効果】
【００１８】
本発明は、ＰＬＰ係数を利用してＬＰＣを行うことにより、圧縮率を向上させ、より効率的な低ビットレートで音声信号を伝送できるという効果がある。
【００１９】
また、本発明は、ＰＬＰ係数をパラメータとして使用することにより、既存のＬＰ係数を使用する場合より、高圧縮率を実現でき、高い信号品質を期待できるという効果がある。    
【００２０】
従って、本発明は、低ビットレートを利用した音声コーディング及びデコーディングのために使用したり、ＰＬＰパラメータを利用して小さい空間で音声合成を行う装置に使用することができる。  
【００２１】
また、本発明は、高音質を必要とはしないが、十分に聞こえる程度のアプリケーションのためのスピーチコーディングに使用されることができる。また、本発明は、メモリが限定されているエンベディッドシステム（ｅｍｂｅｄｄｅｄ  ｓｙｓｔｅｍ）における高圧縮率でのデータの保存や低ビットレートを要求するインターネットなどにおける音声通話などに効果的である。
【発明を実施するための最良の形態】
【００２２】
以下、図面に基づいて、本発明の望ましい実施形態を説明する。
【００２３】
本発明は、高圧縮率を有する音声コーディングを行うために、ＬＰＣより低い次数のコーディングを行い得るＰＬＰを利用した低ビットレート音声コーディングを提供する。
【００２４】
まず、ＰＬＰとＬＰの相違点は、次の通りである。
【００２５】
前記ＬＰは、公知であるため、それを求める公式は説明を省略する。前記ＬＰは、基本的に次の数１によりＭＳＥ（ｍｅａｎ  ｓｑｕａｒｅｄ  ｅｒｒｏｒ）、すなわち、ｅ［ｎ］の値が最小になるようにＬＰ係数ａｋを求める。
【００２６】
【数１】
2006039559.tif 000003
前記求められたＬＰ係数ａｋの次数は、８ｋＨｚサンプリングレートの場合、８〜１２次程度となる。従って、前記求められたＬＰ係数ａｋがＬＰを利用する各種コーディング（ＬＰＣ、ＣＥＬＰ、ＭＥＬＰ、ＲＥＬＰ）に使用される。このような内容は、『Ｗ．Ｂ．Ｋｌｅｉｊｉｎ，  ａｎｄ  Ｋ．Ｋ．Ｐａｌｉｗａｌ，  Ｓｐｅｅｃｈ  ｃｏｄｉｎｇ  ａｎｄ  ｓｙｎｔｈｅｓｉｓ，  Ａｍｓｔｅｒｄａｍ，  ｔｈｅ  Ｎｅｔｈｅｒｌａｎｄｓ：  Ｅｌｓｅｖｉｅｒ，  １９９５』に詳細に記載されている。
【００２７】
前記ＰＬＰは、１９９０年にハーマンスキー（Ｈｅｒｍａｎｓｋｙ）の論文に初登場し、既存のＭＦＣＣ（Ｍｅｌ−Ｆｒｅｑｕｅｎｃｙ  Ｃｅｐｓｔｒａｌ  Ｃｏｅｆｆｉｃｉｅｎｔ）と同様に人間の聴覚特性を利用する。従って、本発明は、低ビットレートのためのＬＰＣを行う場合、ＬＰ係数の代わりにＰＬＰ係数を利用して低ビットレート音声コーディング（ＬＰＣ）を行う。
【００２８】
すなわち、本発明は、ＰＬＰ係数を利用してスペクトルを求める。前記ＰＬＰ係数は、人間の聴覚特性が反映されているため、これを利用して得られたスペクトルは、ＭＳＥ的な概念としてはＬＰより誤差が大きいが、聴覚的特性を考慮した場合は、誤差がより小さくなる。また、ＬＰ係数の伝送の場合、一般に、８ｋＨｚサンプリングレートにおいて１０次程度で伝送されるが、ＰＬＰ係数の伝送の場合は、７次程度で伝送されるので、ビットレートを低くすることができる。  
【００２９】
図１は、本発明に係るＰＬＰ係数を利用したＬＰＣエンコーダの構成図である。
【００３０】
図１を参照すると、前記ＰＬＰ係数を利用したＬＰＣエンコーダは、相関器１０を除去し、ＬＰ係数計算部１１をＰＬＰ係数計算部２０に代えたことを除くと、図３の従来のＬＰＣエンコーダと同様である。
【００３１】
ＰＬＰ係数計算部２０は、スピーチ信号Ｓ［ｎ］を処理して聴覚特性が考慮されたＰＬＰ係数ａＰとゲインＧを計算する。
【００３２】
以下、図面を参照して、このように構成された本発明に係る他のＰＬＰ係数を利用したＬＰＣエンコーダの動作を説明する。  
【００３３】
まず、ＰＬＰ係数計算部２０は、スピーチ信号Ｓ［ｎ］を受信して図２に示す動作を順次行なってＰＬＰ係数ａＰとゲインＧを計算する。
【００３４】
すなわち、ＰＬＰ係数計算部２０は、まずスピーチ信号Ｓ［ｎ］である入力信号を高速フーリエ変換（ＦＦＴ）し、該高速フーリエ変換されたスピーチ信号に対して積分（ｉｎｔｅｇｒａｔｉｏｎ）及びリサンプリング（ｒｅｓａｍｐｌｉｎｇ）を行うことにより、スピーチ信号Ｓ［ｎ］から周波数単位で雑音成分を除去する。
【００３５】
雑音成分が除去されると、ＰＬＰ係数計算部２０は、フーリエ変換されたスピーチ信号を人間の聴覚に適した大きさの音成分にイコライジング（ｅｑｕａｌｉｚｉｎｇ）処理及びラウドネス（ｌｏｕｄｎｅｓｓ）補正した後、人間の聴取に適した電力にマッチングさせる。
【００３６】
前記電力マッチングが完了すると、ＰＬＰ係数計算部２０は、該当スピーチ信号を逆離散フーリエ変換した後、該当スピーチ信号から線形方程式系（Ｓｅｔ  ｏｆ  Ｌｉｎｅａｒ  ｅｑｕａｔｉｏｎｓ）を求める。従って、ＰＬＰ係数計算部２０は、前記線形方程式系に対してケプストラル循環（Ｃｅｐｓｔｒａｌ  Ｒｅｃｕｒｓｉｏｎ）処理を行うことにより、ＰＬＰモデルのケプストラル係数（Ｃｅｐｓｔｒａｌ  Ｃｏｅｆｆｉｃｉｅｎｔｓ）、すなわち、ＰＬＰ係数ａＰを出力する。すなわち、ＰＬＰ係数計算部２０は、人間の聴覚特性を反映した低い次数のＰＬＰ係数ａＰとゲインＧをパラメータ値としてパラメータコーディング部２３に出力する。
【００３７】
ここで、Ｖ／ＵＶ決定部２１は、Ｖ／ＵＶ指示ビットを出力すると共に、スピーチ信号Ｓ［ｎ］をピッチ計算部２２に伝達し、ピッチ計算部２２は、前記スピーチ信号Ｓ［ｎ］のピッチＰを計算する。
【００３８】
従って、パラメータコーディング部２３は、Ｖ／ＵＶ指示ビット値、ＰＬＰ係数計算部２０とピッチ計算部２２から受信したＰＬＰ係数ａＰ、ゲインＧ及びピッチＰをコーディング（低ビットレートでエンコーディング）してビットストリームを出力する。好ましくは、前記伝送されるＰＬＰ係数ａＰの次数は、８ｋＨｚサンプリングレートの場合、７次程度となる。以後、制御部（図示せず）は、ビットストリームを処理して無線部（図示せず）に出力し、前記無線部は、制御部から出力された信号を無線信号に変換して伝送する。
【００３９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００４０】
ＰＬＰ（Ｐｅｒｃｅｐｔｕａｌ  Ｌｉｎｅａｒ  Ｐｒｅｄｉｃｔｉｏｎ）係数を利用してＬＰＣ（Ｌｉｎｅａｒ  Ｐｒｅｄｉｃｔｉｖｅ  Ｃｏｄｉｎｇ）コーディングを行うことにより、既存のＬＰ係数を使用する場合より高圧縮率を実現でき、高い音質を保障できる移動通信端末機の音声コーディング方法を提供する。
【００４１】
移動通信端末機の音声コーディング装置は、入力信号を処理してＰＬＰ係数とゲインを計算するＰＬＰ係数計算部２０と、前記入力信号が音声（Ｖｏｉｃｅｄ）信号であるか、非音声（Ｕｎｖｏｉｃｅｄ）信号であるかを決定し、前記入力信号が音声信号であると、決定信号と該当音声信号を出力するＶ／ＵＶ決定部２１と、Ｖ／ＵＶ決定部２１から出力された入力信号のピッチを計算するピッチ計算部２２と、前記決定信号に基づいて、前記ＰＬＰ係数、ゲイン、及びピッチを利用して低ビットレートコーディングを行うパラメータコーディング部２３とを含む。
【図面の簡単な説明】
【００４２】
【図１】本発明に係るＰＬＰ係数を利用したＬＰＣエンコーダの構造を示す図である。
【図２】図１におけるＰＬＰ係数を計算する段階を詳細に説明するための図である。
【図３】従来のＬＰ係数を利用したＬＰＣエンコーダの構造を示す図である。
【符号の説明】
【００４３】
２０：ＰＬＰ係数計算部
２１：Ｖ／ＵＶ決定部
２２：ピッチ計算部
２３：パラメータコーディング部
【図１】
2006039559.tif 000004
【図２】
2006039559.tif 000005
【図３】
2006039559.tif 000006